(57)【要約】【課題】他の端末との間で表示制御を同期させる場合に、不要な画像の切り替えが行われることを防止し、無駄な電力の消費を削減することができる表示制御装置、表示制御方法、及び表示制御プログラムを提供する。【解決手段】主表示端末で表示される主画像の切り替えの情報である切り替え情報を受信すると（Ｓ１３３：ＹＥＳ）、受信した切り替え情報が、主画像を連続して複数回切り替える連続切り替え情報であるか否かが判断される（Ｓ１３８〜Ｓ１４２）。連続切り替え情報であると判断された場合には（Ｓ１４２：ＹＥＳ、Ｓ１４４、Ｓ１４１：ＹＥＳ）、受信した切り替え情報から、表示部に表示すべき特定の画像が割り出される（Ｓ１４７）。割り出された特定の画像のみが、表示部に表示される（Ｓ１５０）。【選択図】図７
2010151869.tif 000002
【特許請求の範囲】
【請求項１】
画像を表示する主表示手段に表示される主画像の切り替えの指示が入力される操作部と、
前記操作部に入力された前記指示に従って、前記主表示手段の前記主画像の表示を切り替える主表示制御手段と、
前記主表示制御手段が前記主画像の表示を切り替える場合に、前記主画像の切り替えの情報である切り替え情報を送信する送信手段と
を備えた端末との間で通信を行う通信手段を有する表示制御装置であって、
前記通信手段によって受信された前記切り替え情報が、前記主画像を連続して複数回切り替える連続切り替え情報であるか否かを判断する情報判断手段と、
前記情報判断手段によって前記連続切り替え情報であると判断された場合に、受信された前記切り替え情報から、画像を表示する副表示手段に表示すべき特定の画像を割り出す割り出し手段と、
前記割り出し手段によって割り出された前記特定の画像を前記副表示手段に表示させる副表示制御手段とを備えたことを特徴とする表示制御装置。
【請求項２】
前記通信手段によって前記切り替え情報が受信されてからの経過時間が第一所定時間未満であるか否かを判断する経過判断手段を備え、
前記情報判断手段は、前記経過判断手段によって前記経過時間が前記第一所定時間未満であると判断されてから、前記経過判断手段によって前記経過時間が前記第一所定時間以上であると判断されるまでの間に前記通信手段によって受信された前記切り替え情報を前記連続切り替え情報と判断し、
前記割り出し手段は、１つの前記連続切り替え情報に含まれる複数の前記切り替え情報から前記特定の画像を割り出すことを特徴とする請求項１に記載の表示制御装置。
【請求項３】
前記連続切り替え情報に含まれる複数の前記切り替え情報のうちの最初に受信された前記切り替え情報に従って、前記副表示手段に表示されている画像を切り替える切り替え手段を備えたことを特徴とする請求項２に記載の表示制御装置。
【請求項４】
前記経過時間が前記第一所定時間未満であることが前記経過判断手段によって判断されてから、前記通信手段によって次の前記切り替え情報が受信されたときの前記経過時間が前記第一所定時間未満である場合、前記主画像が連続して複数回切り替えられていることを報知する報知手段を備えたことを特徴とする請求項２又は３に記載の表示制御装置。
【請求項５】
前記操作部が継続して操作された操作時間を前記切り替え情報から取得する第一取得手段を備え、
前記情報判断手段は、前記第一取得手段によって取得された前記操作時間が第二所定時間以上である場合に、前記通信手段によって受信された前記切り替え情報を前記連続切り替え情報と判断し、
前記割り出し手段は、前記第一取得手段によって取得された前記操作時間の長さに応じて前記特定の画像を割り出すことを特徴とする請求項１に記載の表示制御装置。
【請求項６】
前記通信手段によって受信される前記切り替え情報は、前記操作部の操作が開始された場合に前記送信手段によって送信される操作開始情報、及び前記操作部の操作が終了した場合に前記送信手段によって送信される操作終了情報を有し、
前記第一取得手段は、前記操作開始情報が受信されてから前記操作終了情報が受信されるまでの時間を計測することで前記操作時間を取得する第二取得手段を備えたことを特徴とする請求項５に記載の表示制御装置。
【請求項７】
前記通信手段によって前記操作開始情報が受信されてから第三所定時間が経過した場合に、前記主画像が切り替えられていることを報知する報知手段を備えたことを特徴とする請求項６に記載の表示制御装置。
【請求項８】
前記通信手段によって受信される前記切り替え情報は、前記操作部が連続して操作された操作時間の情報が含まれる時間通知情報を有し、
前記第一取得手段は、前記時間通知情報に含まれる前記操作時間の情報によって前記操作時間を取得する第三取得手段を備えたことを特徴とする請求項５乃至７のいずれかに記載の表示制御装置。
【請求項９】
前記端末の前記主表示制御手段が前記操作時間に応じて前記主画像を切り替える回数についての情報を、前記通信手段によって前記端末から取得する第四取得手段を備え、
前記割り出し手段は、前記第四取得手段によって取得された情報に応じて前記特定の画像を割り出すことを特徴とする請求項５乃至８のいずれかに記載の表示制御装置。
【請求項１０】
前記割り出し手段によって割り出された前記特定の画像が、前記副表示手段に表示させない画像である非表示画像であるか否かを判断する画像判断手段と、
前記画像判断手段によって前記非表示画像であると判断された場合に、前記副表示手段に表示されている画像の切り替えを行わないように制御する切り替え制御手段とを備えたことを特徴とする請求項１乃至９のいずれかに記載の表示制御装置。
【請求項１１】
前記通信手段による前記端末との通信が開始された場合に、前記端末の前記送信手段が前記切り替え情報を送信するタイミング、及び送信する前記切り替え情報に含まれる情報内容の少なくともいずれかの情報に応じて処理方法を設定する設定手段を備え、
前記割り出し手段は、前記設定手段によって設定された処理方法に応じて前記特定の画像を割り出すことを特徴とする請求項１乃至１０のいずれかに記載の表示制御装置。
【請求項１２】
画像を表示する主表示手段に表示される主画像の切り替えの指示が入力される操作部と、
前記操作部に入力された前記指示に従って、前記主表示手段の前記主画像の表示を切り替える主表示制御手段と、
前記主表示制御手段が前記主画像の表示を切り替える場合に、前記主画像の切り替えの情報である切り替え情報を送信する送信手段と
を備えた端末との間で通信を行う通信ステップを有する表示制御方法であって、
前記通信ステップによって受信された前記切り替え情報が、前記主画像を連続して複数回切り替える連続切り替え情報であるか否かを判断する情報判断ステップと、
前記情報判断ステップによって前記連続切り替え情報であると判断された場合に、受信された前記切り替え情報から、画像を表示する副表示手段に表示すべき特定の画像を割り出す割り出しステップと、
前記割り出しステップによって割り出された前記特定の画像を前記副表示手段に表示させる副表示制御ステップとを備えたことを特徴とする表示制御方法。
【請求項１３】
請求項１乃至１１のいずれかに記載の表示制御装置の各種処理手段としてコンピュータを機能させるための表示制御プログラム。
【発明の詳細な説明】
【技術分野】
【０００１】
本発明は、表示制御装置、表示制御方法、及び表示制御プログラムに関する。より具体的には、表示手段の表示を制御する他の端末との間で表示制御を同期させることが可能な表示制御装置、表示制御方法、及び表示制御プログラムに関する。
【背景技術】
【０００２】
従来、複数の端末のうちの１つを親機、他の端末を子機として、親機で表示した画像を子機でも同様に表示させる表示制御方法が知られている（例えば、特許文献１参照）。この方法では、親機と子機とを相互に接続させて、親機での画像の制御情報を子機に送信させる。これにより、子機の使用者に表示切り替えの指示を入力させることなく、親機で表示した画像と同じ画像を子機で表示させることを実現している。
【特許文献１】特開平６−１１０４１６号公報
【発明の開示】
【発明が解決しようとする課題】
【０００３】
しかしながら、特許文献１に記載の表示制御方法では、親機での操作がそのまま子機でも実行される。従って、親機の使用者が、所望の画像を表示させるために連続して複数回の画像の切り替えを親機に実行させた場合、子機でも親機と同様に、不要な画像の切り替えを経なければ所望の画像を表示することができない。そして、子機が不要な画像の切り替えを行う度に、無駄な電力が消費されるという問題点があった。
【０００４】
本発明は上記課題を解決するためになされたものであり、他の端末との間で表示制御を同期させる場合に、不要な画像の切り替えが行われることを防止し、無駄な電力の消費を削減することができる表示制御装置、表示制御方法、及び表示制御プログラムを提供することを目的とする。
【課題を解決するための手段】
【０００５】
上記目的を達成するために、本発明の請求項１に記載の表示制御装置は、画像を表示する主表示手段に表示される主画像の切り替えの指示が入力される操作部と、前記操作部に入力された前記指示に従って、前記主表示手段の前記主画像の表示を切り替える主表示制御手段と、前記主表示制御手段が前記主画像の表示を切り替える場合に、前記主画像の切り替えの情報である切り替え情報を送信する送信手段とを備えた端末との間で通信を行う通信手段を有する表示制御装置であって、前記通信手段によって受信された前記切り替え情報が、前記主画像を連続して複数回切り替える連続切り替え情報であるか否かを判断する情報判断手段と、前記情報判断手段によって前記連続切り替え情報であると判断された場合に、受信された前記切り替え情報から、画像を表示する副表示手段に表示すべき特定の画像を割り出す割り出し手段と、前記割り出し手段によって割り出された前記特定の画像を前記副表示手段に表示させる副表示制御手段とを備えている。
【０００６】
また、本発明の請求項２に記載の表示制御装置は、請求項１に記載の発明の構成に加え、前記通信手段によって前記切り替え情報が受信されてからの経過時間が第一所定時間未満であるか否かを判断する経過判断手段を備え、前記情報判断手段は、前記経過判断手段によって前記経過時間が前記第一所定時間未満であると判断されてから、前記経過判断手段によって前記経過時間が前記第一所定時間以上であると判断されるまでの間に前記通信手段によって受信された前記切り替え情報を前記連続切り替え情報と判断し、前記割り出し手段は、１つの前記連続切り替え情報に含まれる複数の前記切り替え情報から前記特定の画像を割り出すことを特徴とする。
【０００７】
また、本発明の請求項３に記載の表示制御装置は、請求項２に記載の発明の構成に加え、前記連続切り替え情報に含まれる複数の前記切り替え情報のうちの最初に受信された前記切り替え情報に従って、前記副表示手段に表示されている画像を切り替える切り替え手段を備えている。
【０００８】
また、本発明の請求項４に記載の表示制御装置は、請求項２又は３に記載の発明の構成に加え、前記経過時間が前記第一所定時間未満であることが前記経過判断手段によって判断されてから、前記通信手段によって次の前記切り替え情報が受信されたときの前記経過時間が前記第一所定時間未満である場合、前記主画像が連続して複数回切り替えられていることを報知する報知手段を備えている。
【０００９】
また、本発明の請求項５に記載の表示制御装置は、請求項１に記載の発明の構成に加え、前記操作部が継続して操作された操作時間を前記切り替え情報から取得する第一取得手段を備え、前記情報判断手段は、前記第一取得手段によって取得された前記操作時間が第二所定時間以上である場合に、前記通信手段によって受信された前記切り替え情報を前記連続切り替え情報と判断し、前記割り出し手段は、前記第一取得手段によって取得された前記操作時間の長さに応じて前記特定の画像を割り出すことを特徴とする。
【００１０】
また、本発明の請求項６に記載の表示制御装置は、請求項５に記載の発明の構成に加え、前記通信手段によって受信される前記切り替え情報は、前記操作部の操作が開始された場合に前記送信手段によって送信される操作開始情報、及び前記操作部の操作が終了した場合に前記送信手段によって送信される操作終了情報を有し、前記第一取得手段は、前記操作開始情報が受信されてから前記操作終了情報が受信されるまでの時間を計測することで前記操作時間を取得する第二取得手段を備えている。
【００１１】
また、本発明の請求項７に記載の表示制御装置は、請求項６に記載の発明の構成に加え、前記通信手段によって前記操作開始情報が受信されてから第三所定時間が経過した場合に、前記主画像が切り替えられていることを報知する報知手段を備えている。
【００１２】
また、本発明の請求項８に記載の表示制御装置は、請求項５乃至７のいずれかに記載の発明の構成に加え、前記通信手段によって受信される前記切り替え情報は、前記操作部が連続して操作された操作時間の情報が含まれる時間通知情報を有し、前記第一取得手段は、前記時間通知情報に含まれる前記操作時間の情報によって前記操作時間を取得する第三取得手段を備えている。
【００１３】
また、本発明の請求項９に記載の表示制御装置は、請求項５乃至８のいずれかに記載の発明の構成に加え、前記端末の前記主表示制御手段が前記操作時間に応じて前記主画像を切り替える回数についての情報を、前記通信手段によって前記端末から取得する第四取得手段を備え、前記割り出し手段は、前記第四取得手段によって取得された情報に応じて前記特定の画像を割り出すことを特徴とする。
【００１４】
また、本発明の請求項１０に記載の表示制御装置は、請求項１乃至９のいずれかに記載の発明の構成に加え、前記割り出し手段によって割り出された前記特定の画像が、前記副表示手段に表示させない画像である非表示画像であるか否かを判断する画像判断手段と、前記画像判断手段によって前記非表示画像であると判断された場合に、前記副表示手段に表示されている画像の切り替えを行わないように制御する切り替え制御手段とを備えている。
【００１５】
また、本発明の請求項１１に記載の表示制御装置は、請求項１乃至１０のいずれかに記載の発明の構成に加え、前記通信手段による前記端末との通信が開始された場合に、前記端末の前記送信手段が前記切り替え情報を送信するタイミング、及び送信する前記切り替え情報に含まれる情報内容の少なくともいずれかの情報に応じて処理方法を設定する設定手段を備え、前記割り出し手段は、前記設定手段によって設定された処理方法に応じて前記特定の画像を割り出すことを特徴とする。
【００１６】
また、本発明の請求項１２に記載の表示制御方法は、画像を表示する主表示手段に表示される主画像の切り替えの指示が入力される操作部と、前記操作部に入力された前記指示に従って、前記主表示手段の前記主画像の表示を切り替える主表示制御手段と、前記主表示制御手段が前記主画像の表示を切り替える場合に、前記主画像の切り替えの情報である切り替え情報を送信する送信手段とを備えた端末との間で通信を行う通信ステップを有する表示制御方法であって、前記通信ステップによって受信された前記切り替え情報が、前記主画像を連続して複数回切り替える連続切り替え情報であるか否かを判断する情報判断ステップと、前記情報判断ステップによって前記連続切り替え情報であると判断された場合に、受信された前記切り替え情報から、画像を表示する副表示手段に表示すべき特定の画像を割り出す割り出しステップと、前記割り出しステップによって割り出された前記特定の画像を前記副表示手段に表示させる副表示制御ステップとを備えている。
【００１７】
また、本発明の請求項１３に記載の表示制御プログラムは、請求項１乃至１１のいずれかに記載の表示制御装置の各種処理手段としてコンピュータを機能させることを特徴とする。
【発明の効果】
【００１８】
本発明の請求項１に記載の表示制御装置は、主表示手段に表示される主画像の切り替えを行う端末から、主画像の切り替えの情報である切り替え情報を受信する。受信した切り替え情報が、主画像を連続して複数回切り替える連続切り替え情報であるか否かを判断する。連続切り替え情報であると判断された場合には、副表示手段に表示すべき特定の画像を、受信した連続切り替え情報から割り出す。そして、割り出した特定の画像を副表示手段に表示させることができる。従って、主画像の連続切り替えが行われた場合に、途中の不要な画像の切り替えを行うことなく、特定の画像のみを副表示手段に表示させることができる。よって、不要な画像の切り替えに起因する無駄な電力消費を削減することができる。
【００１９】
また、本発明の請求項２に記載の表示制御装置は、切り替え情報が受信されてからの経過時間が第一所定時間未満であるか否かを判断する。経過時間が第一所定時間に達することなく連続して切り替え情報を受信した場合に、受信した一連の切り替え情報を連続切り替え情報と判断する。そして、連続切り替え情報に含まれる複数の切り替え情報から特定の画像を割り出し、特定の画像のみを副表示手段に表示させる。これにより、表示制御装置は、請求項１に記載の発明の効果に加え、連続切り替え情報であるか否かの判断、及び特定の画像の割り出しを適切に行うことができる。従って、端末のユーザは、主画像の連続切り替えを適宜実行しつつ、所望する画像のみを副表示手段に表示させることができる。
【００２０】
また、本発明の請求項３に記載の表示制御装置は、請求項２に記載の発明の効果に加え、第一所定時間の経過を待つことなく、連続切り替え情報のうちの最初の切り替え情報に従って、副表示手段に表示される画像も素早く切り替えることができる。従って、表示制御装置は、副表示手段での切り替えの応答時間を短縮することができる。
【００２１】
また、本発明の請求項４に記載の表示制御装置は、請求項２又は３に記載の発明の効果に加え、第一所定時間内に連続して切り替え情報が受信された場合に、主画像が連続して切り替えられていることをユーザに報知することができる。これにより、表示制御装置は、状況を適切にユーザに把握させることができる。
【００２２】
また、本発明の請求項５に記載の表示制御装置によると、端末のユーザは、操作部を継続して第二所定時間以上操作することで、主表示手段に表示される主画像を１回の操作で複数回連続して切り替えることができる。この場合、表示制御装置では、操作部の操作時間が切り替え情報から取得され、取得された操作時間が所定時間以上である場合に、受信された切り替え情報が連続切り替え情報であると判断される。そして、取得された操作時間の長さに応じて、主表示手段で最終的に表示される最終画像が割り出され、割り出された最終画像が副表示手段にも表示される。従って、請求項１に記載の発明の効果に加え、端末のユーザは、１回の操作で容易に主画像の連続切り替えを端末に実行させつつ、所望する画像のみを副表示手段に表示させることができる。
【００２３】
また、本発明の請求項６に記載の表示制御装置は、請求項５に記載の発明の効果に加え、端末から受信する操作開始情報及び操作終了情報によって、端末の操作部が操作された操作時間を容易に取得することができる。さらに、端末のユーザが主画像の切り替えを１回のみ行う場合には、操作部の操作時間は連続切り替えの場合よりも短いため、主画像が１回切り替えられるとすぐに操作終了情報が受信される。よって、表示制御装置は、切り替え情報が連続切り替え情報でないことを素早く判断することができ、副表示手段及び主表示手段の画像の切り替えタイミングに差を生じさせることなく、切り替えを同期させることができる。
【００２４】
また、本発明の請求項７に記載の表示制御装置は、請求項６に記載の発明の効果に加え、操作部の操作が開始されて第三所定時間が経過した場合に、主画像が切り替えられていることをユーザに報知することができる。これにより、表示制御装置は、状況を適切にユーザに把握させることができる。
【００２５】
また、本発明の請求項８に記載の表示制御装置は、請求項５乃至７のいずれかに記載の発明の効果に加え、端末から受信する時間通知情報によって、端末の操作部が操作された操作時間を容易に取得することができる。さらに、端末のユーザが主画像の切り替えを１回のみ行う場合には、操作部の操作時間は連続切り替えの場合よりも短いため、主画像が１回切り替えられるとすぐに切り替え情報が受信される。よって、表示制御装置は、副表示手段及び主表示手段の画像の切り替えタイミングに差を生じさせることなく、切り替えを同期させることができる。
【００２６】
また、本発明の請求項９に記載の表示制御装置は、請求項５乃至８のいずれかに記載の発明の効果に加え、操作部の操作時間に応じた主画像の切り替え回数についての情報を端末から取得し、取得した情報に応じて副表示手段の表示を制御することができる。よって、表示制御装置は、副表示手段での不要な画像の切り替えを省きつつ、ユーザが所望する画像の表示を２つの表示手段の間で確実に同期させることができる。
【００２７】
また、本発明の請求項１０に記載の表示制御装置は、請求項１乃至９のいずれかに記載の発明の効果に加え、副表示手段に表示させる画像として割り出された特定の画像が、副表示手段に表示させない非表示画像であれば、画像の切り替えを行わないように制御することができる。よって、端末のユーザは、主表示手段でのみ表示させれば足りる画像を副表示手段に表示させることなく、必要な画像のみを副表示手段にも表示させることができる。
【００２８】
また、本発明の請求項１１に記載の表示制御装置は、請求項１乃至１０のいずれかに記載の発明の効果に加え、端末が切り替え情報を送信するタイミング、及び送信する切り替え情報に含まれる情報内容の少なくともいずれかの情報に応じて、画像表示の処理方法を設定することができる。よって、表示制御装置及び端末は、画像の表示を適切な処理で確実に同期させることができる。
【００２９】
また、本発明の請求項１２に記載の表示制御方法によると、主表示手段に表示される主画像の切り替えを行う端末から、主画像の切り替えの情報である切り替え情報が受信される。受信された切り替え情報が、主画像を連続して複数回切り替える連続切り替え情報であるか否かが判断される。連続切り替え情報であると判断された場合には、副表示手段に表示すべき特定の画像が、受信した連続切り替え情報から割り出される。そして、割り出された特定の画像が副表示手段に表示される。従って、端末のユーザは、主画像の連続切り替えを行った場合、途中の不要な画像の切り替えを経ることなく、特定の画像のみを副表示手段にも表示させることができる。よって、不要な画像の切り替えに起因する無駄な電力消費を削減することができる。
【００３０】
また、本発明の請求項１３に記載の表示制御プログラムは、コンピュータに実行させることにより、請求項１乃至１１のいずれかに記載の発明の効果を奏することができる。
【発明を実施するための最良の形態】
【００３１】
以下、本発明を具現化した一実施の形態について、図面を参照して説明する。尚、参照する図面は、本発明が採用し得る技術的特徴を説明するために用いられるものであり、記載されている装置の構成、各種処理のフローチャート等は、それのみに限定する趣旨ではなく、単なる説明例である。
【００３２】
まず、図１を参照して、本実施の形態に係る画像表示システム５の全体構成の概略を説明する。図１は、画像表示システム５の概略構成を示すシステム構成図である。図１に示すように、画像表示システム５は、主表示端末１、及び少なくとも１つの副表示端末２を含む。全ての副表示端末２は主表示端末１に接続し、主表示端末１との間で情報の通信を行う。本実施の形態では、無線ＬＡＮを介して各機器が接続されているが、接続方法は適宜変更でき、有線・無線も問わない。
【００３３】
ここで、画像表示システム５全体で行われる処理の手順について、簡単に説明する。画像表示システム５では、主表示端末１の表示部１５（図２参照）に表示された画像と同じ画像が、副表示端末２の表示部２５（図２参照）にも表示される。詳細には、主表示端末１のユーザが、表示部１５に表示されている画像（以下、「主画像」という。）を切り替えると、主画像の切り替えに関する情報である切り替え情報が副表示端末２へ送信される。副表示端末２は、主表示端末１から受信した切り替え情報に従って、表示部２５に表示されている画像（以下、「副画像」という。）を切り替える。従って、主表示端末１のユーザは、副表示端末２のユーザに副画像の切り替え操作を行わせることなく、主表示端末１の表示部１５に表示されている主画像と同じ画像を副表示端末２のユーザに見せることができる。この画像表示システム５は、例えば、同じ画像を複数人で参照しながら会議を行う場合に使用される。
【００３４】
本実施の形態に係る主表示端末１は、主画像の切り替え、及び切り替え情報の送信について、連続操作通知処理、操作タイミング通知処理、及び操作時間通知処理の３つの処理を実行できる。連続操作通知処理では、操作部１４（図２参照）の操作ボタンが連続して操作されることで、主画像が連続して切り替えられる。そして、操作ボタンが操作される毎に、切り替え情報が副表示端末２へ送信される。操作タイミング通知処理では、操作ボタンが継続して操作（長押し）されることで、主画像が連続して切り替えられる。そして、操作ボタンの操作開始時及び操作終了時に、切り替え情報が副表示端末２へ送信される。操作時間通知処理では、操作ボタンの長押しによって主画像が連続して切り替えられ、操作ボタンが継続して操作された操作時間の情報が、操作終了時に副表示端末２へ送信される。
【００３５】
ユーザは、実行させたい処理をあらかじめ主表示端末１に入力しておく。副表示端末２は、主表示端末１との間で通信が開始される際に、実行される処理の情報を主表示端末１に問い合わせる。これにより、副表示端末２は、主表示端末１で実行される処理に適した処理方法を設定し、設定した処理方法で処理を実行する。本実施の形態に係る副表示端末２は、主表示端末１から送信される切り替え情報に応じて、不要な画像の切り替えを行うことなく必要な画像のみを表示させる処理を行う。尚、ここまでで簡単に説明した処理については、後に詳述する。
【００３６】
次に、図２を参照して、画像表示システム５を構成する主表示端末１及び副表示端末２の電気的構成について説明する。図２は、主表示端末１及び副表示端末２の電気的構成を示すブロック図である。主表示端末１及び副表示端末２は、共に表示部を備えた携帯型の端末である。詳細には、主表示端末１及び副表示端末２は、帯電粒子を移動させることで表示部に画像を表示させる電気泳動表示装置であり、表示部に表示させた画像を省電力で維持することができる。本実施の形態では、複数の表示端末のうちの１つが主表示端末１、他の表示端末が副表示端末２として機能する。
【００３７】
主表示端末１は、主表示端末１の制御を司るＣＰＵ１０を備えている。ＣＰＵ１０には、ＲＯＭ１１、ＲＡＭ１２、ＥＥＰＲＯＭ１３、操作部１４、表示部１５、メモリカードＩ／Ｆ１６、タイマ１７、及び外部通信Ｉ／Ｆ１８がバスを介して接続されている。ＲＯＭ１１は、主表示端末１を動作させるためのプログラムや初期値等を記憶している。ＲＯＭ１１に記憶されているプログラムには、画像の表示を制御する後述の処理を行うためのプログラム、及び副表示端末２と画像表示を同期させるためのプログラムが含まれている。ＲＡＭ１２は、各種のデータを一時的に記憶する。ＥＥＰＲＯＭ１３は不揮発性のメモリである。操作部１４は、ユーザによる入力を受け付ける押下式の操作ボタンを備える。表示部１５は画像を表示する。メモリカードＩ／Ｆ１６は、主表示端末１にメモリカード１９を接続する。タイマ１７は時間を計測する。外部通信Ｉ／Ｆ１８は、主表示端末１を副表示端末２に接続し、副表示端末２との間で通信を行う。
【００３８】
そして、ＥＥＰＲＯＭ１３には、設定画像データ記憶エリア１３１、及び切り替えページ数テーブル記憶エリア１３２が設けられている。設定画像データ記憶エリア１３１には、ユーザが各種設定を行う場合に表示部１５に表示される設定画像のデータが記憶される。切り替えページ数テーブル記憶エリア１３２には、操作部１４の操作ボタンの操作時間と、画像の切り替えページ数とを対応させた切り替えページ数テーブルが記憶される。この切り替えページ数テーブルは、操作ボタンを長押しすることによる画像の連続切り替えが実行される場合に使用される。詳細については、図３を参照して後述する。
【００３９】
また、メモリカード１９の画像データ記憶エリア１９１には、表示部１５に表示される文字、図形、写真等の画像の画像データが記憶される。ユーザは、メモリカード１９を差し替えることで、表示部１５に様々な画像を表示させることができる。
【００４０】
副表示端末２は、ＣＰＵ２０、ＲＯＭ２１、ＲＡＭ２２、ＥＥＰＲＯＭ２３、操作部２４、表示部２５、メモリカードＩ／Ｆ２６、タイマ２７、及び外部通信Ｉ／Ｆ２８を備えている。これらの構成は、主表示端末１の構成と同じであるため、説明を省略する。
【００４１】
副表示端末２のメモリカードＩ／Ｆ２６には、主表示端末１に接続されたメモリカード１９の画像データと同じ画像データを記憶したメモリカード１９が接続される。副表示端末２は、主表示端末１から送信される切り替え情報に応じて、メモリカード１９に画像データとして記憶されている画像のいずれかを表示部２５に表示させる。これにより、画像の表示を主表示端末１と同期させる。尚、外部通信Ｉ／Ｆ１８，２８による通信は有線通信及び無線通信のいずれでも構わない。
【００４２】
次に、図３を参照して、切り替えページ数テーブル記憶エリア１３２，２３２に記憶されている切り替えページ数テーブルについて説明する。図３は、切り替えページ数テーブルの構成を示す模式図である。先述したように、切り替えページ数テーブルは、操作部１４の操作ボタンの操作時間と、画像の切り替えページ数とを対応させたテーブルである。主表示端末１の切り替えページ数テーブル記憶エリア１３２、及び副表示端末２の切り替えページ数テーブル記憶エリア２３２には、同じテーブルが記憶されている。
【００４３】
主表示端末１は、操作ボタンの操作時間に応じて連続して画像を切り替える場合に、切り替えページ数テーブルを参照する。図３に示すテーブルによると、操作時間が２秒以上となった場合に、２秒毎に５ページずつ画像が連続して切り替えられる。例えば、主表示端末１は、ページを進める操作ボタンが操作されると、操作時間が２秒となった時点で、１ページのみ切り替えられていた主画像をさらに５ページ先の画像に切り替える。その後、操作時間が４秒に達すると、主画像はさらに５ページ先の画像に切り替えられて、表示されている主画像のページはもとのページから１１ページ進んだ状態となる。
【００４４】
副表示端末２は、主表示端末１と同じ切り替えページ数テーブルを共有することで、連続して切り替えられた結果最終的に主表示端末１で表示された主画像と同じ画像を、表示部２５に表示させる画像として割り出す。例えば、副表示端末２は、主表示端末１から受信した切り替え情報によって、操作ボタンの操作時間が５．５秒であることを取得した場合には、表示されていた副画像から２１ページ切り替えられた画像のページ数を、表示部２５に表示させる画像のページ数として割り出す。
【００４５】
以下、本実施の形態に係る主表示端末１及び副表示端末２が行う処理について、図面を参照して説明する。まず、図４及び図５を参照して、主表示端末１が行う主表示端末処理、及び副表示端末２が行う副表示端末処理について説明する。図４は、主表示端末１が行う主表示端末処理のフローチャートである。図５は、副表示端末２が行う副表示端末処理のフローチャートである。
【００４６】
まず、図４を参照して、主表示端末処理について説明する。主表示端末処理は、主表示端末１の電源がオンとされた場合に、ＲＯＭ１１に記憶されたプログラムに従ってＣＰＵ１０が実行する。まず、外部通信Ｉ／Ｆ１８を介して副表示端末２と通信を行い、画像表示の同期を開始させる処理が行われる（Ｓ１１）。この処理は周知の処理であるため、詳細については省略する。
【００４７】
副表示端末２から処理情報の問い合わせが行われたか否かが判断される（Ｓ１２）。先述したように、主表示端末１は、主画像の切り替え、及び切り替え情報の送信について３つの処理を実行できる。主表示端末１は、図示外の処理において、３つの処理のいずれを実行するかをユーザに選択させ、実行する処理をユーザからの入力に従って決定している。いずれの処理を実行するかを通知するための処理情報の問い合わせが副表示端末２から行われていなければ（Ｓ１２：ＮＯ）、この判断が繰り返し行われる。
【００４８】
処理情報の問い合わせが行われ（Ｓ１２：ＹＥＳ）、ユーザからの入力に従って実行する処理が連続操作通知処理である場合には（Ｓ１３：ＹＥＳ）、連続操作通知処理を実行することを示す処理情報が副表示端末２へ送信される（Ｓ１４）。後述する連続操作通知処理が行われて（Ｓ１５）、処理が終了する。
【００４９】
実行する処理が操作タイミング通知処理である場合には（Ｓ１３：ＮＯ、Ｓ１６：ＹＥＳ）、操作タイミング通知処理を実行することを示す処理情報が副表示端末２へ送信される（Ｓ１７）。操作タイミング通知処理を行う際に副表示端末２で必要となる、切り替えページ数テーブル（図３参照）の情報が、副表示端末２へ送信される（Ｓ１８）。後述の操作タイミング通知処理が行われて（Ｓ１９）、処理が終了する。
【００５０】
実行する処理が連続操作通知処理でなく（Ｓ１３：ＮＯ）、操作タイミング通知処理でもなく（Ｓ１６：ＮＯ）、操作時間通知処理である場合には、操作時間通知処理を実行することを示す処理情報が副表示端末２へ送信される（Ｓ２１）。操作時間通知処理を行う際に必要となる切り替えページ数テーブルの情報が、副表示端末２へ送信される（Ｓ２２）。後述の操作時間通知処理が行われて（Ｓ２３）、処理が終了する。
【００５１】
次に、図５を参照して、副表示端末処理について説明する。副表示端末処理は、副表示端末２の電源がオンとされた場合に、ＲＯＭ２１に記憶されたプログラムに従ってＣＰＵ２０が実行する。まず、外部通信Ｉ／Ｆ２８を介して主表示端末１と通信を行い、画像表示の同期を開始させる処理が行われる（Ｓ１０１）。次いで、主表示端末１に処理情報を問い合わせる処理が行われる（Ｓ１０２）。
【００５２】
主表示端末１から受信した処理情報が、連続操作通知処理を実行することを示す処理情報である場合には（Ｓ１０３：ＹＥＳ）、連続操作通知処理に対応して行われる処理である後述の連続操作判断処理が実行されて（Ｓ１０４）、処理は終了する。
【００５３】
操作タイミング通知処理を実行することを示す処理情報が受信された場合には（Ｓ１０３：ＮＯ、Ｓ１０５：ＹＥＳ）、切り替えページ数テーブルの情報が受信されて、ＥＥＰＲＯＭ２３の切り替えページ数テーブル記憶エリア２３２に記憶される（Ｓ１０６）。操作タイミング通知処理に対応する処理である操作タイミング判断処理が行われて（Ｓ１０７）、処理は終了する。
【００５４】
操作時間判断処理を実行することを示す処理情報が受信された場合には（Ｓ１０３：ＮＯ、Ｓ１０５：ＮＯ）、切り替えページ数テーブルの情報が受信されて、切り替えページ数テーブル記憶エリア２３２に記憶される（Ｓ１０８）。操作時間判断処理に対応する処理である操作時間判断処理が行われて（Ｓ１０９）、処理は終了する。
【００５５】
次に、図６乃至図９を参照して、主表示端末１で行われる連続操作通知処理、及びこれに対応して副表示端末２で行われる連続操作判断処理について説明する。図６は、主表示端末処理中に実行される連続操作通知処理のフローチャートである。図７は、副表示端末処理中に実行される連続操作判断処理のフローチャートである。図８は、ＲＡＭ２２に記憶される連続操作リストの一例を示す概念図である。図９は、操作中画像３１を表示している副表示端末２を示す図である。
【００５６】
まず、主表示端末１で行われる連続操作通知処理について説明する。先述したように、連続操作通知処理を実行することがユーザによって設定されている場合、主表示端末１のＣＰＵ１０は、副表示端末２との同期開始後に連続操作通知処理（Ｓ１５、図４参照）を実行する。図６に示すように、連続操作通知処理が開始されると、処理を終了させる指示がユーザから入力されたか否かが判断される（Ｓ３１）。ユーザが操作部１４（図２参照）を操作して、処理を終了させる指示を入力した場合には（Ｓ３１：ＹＥＳ）、処理は主表示端末処理（図４参照）へ戻る。終了指示が入力されていなければ（Ｓ３１：ＮＯ）、操作部１４に設けられたボタンのうち、ユーザが画像の切り替えを指示するための操作ボタンが操作されたか否かが判断される（Ｓ３２）。操作ボタンが操作されていなければ（Ｓ３２：ＮＯ）、Ｓ３１の判断へ戻る。
【００５７】
操作ボタンが操作された場合には（Ｓ３２：ＹＥＳ）、操作された操作ボタンの種類に応じて、表示部１５に表示されている主画像が１ページ切り替えられる（Ｓ３３）。ページを進める操作ボタンが操作された場合には、主画像を１ページ進める処理が行われ、ページを戻す操作ボタンが操作された場合には、主画像を１ページ戻す処理が行われる。そして、操作された操作ボタンの種類、及び操作ボタンが操作されたことを示す切り替え情報である操作ボタン情報が、副表示端末２へ送信される（Ｓ３４）。その後、処理はＳ３１へ戻る。
【００５８】
次に、副表示端末２で行われる連続操作判断処理について説明する。先述したように、副表示端末２のＣＰＵ２０は、連続操作通知処理が実行されることを示す処理情報を主表示端末１から受信すると、連続操作判断処理（Ｓ１０４、図５参照）を実行する。図７に示すように、連続操作判断処理が開始されると、ＲＡＭ１２に記憶されている連続操作リストが初期化される（Ｓ１３１）。
【００５９】
ここで、図８を参照して、連続操作リストについて説明する。連続操作リストとは、主表示端末１から送信された操作ボタン情報が、主画像を連続して複数回切り替えることを示す連続切り替え情報の一部であると判断された場合に、連続切り替え情報を構成する複数の操作ボタン情報が送信順に記憶されて作成されるリストである。図８に示す例では、連続切り替え情報を構成する複数の操作ボタン情報のうち、１〜３回目、及び６・７回目に送信された操作ボタン情報は、ページを１ページ進めることを示す操作ボタン情報である。４回目に送信された操作ボタン情報は、ページを１ページ戻す操作ボタン情報である。５回目に送信された操作ボタン情報は、ページをリセットして最初のページの表示に戻すことを示す操作ボタン情報である。これらの操作ボタン情報が送信順に記憶されることで連続操作リストが作成され、連続切り替え情報の送信が終了した時点で、連続操作リストが参照される。そして、副表示端末２は、連続切り替え情報に従って主表示端末１と同様に画像を切り替えた場合に最後に表示される画像を割り出し、割り出した画像のみを表示部２５に表示させる。図８に示す例によると、リセットされた最初のページから２ページ進んだページの画像が、表示部２５に表示されることとなる。
【００６０】
図７に戻り、連続操作リストが初期化されると（Ｓ１３１）、処理を終了させる指示が入力されたか否かが判断される（Ｓ１３２）。ユーザが操作部２４（図２参照）を操作して、処理を終了させる指示を入力した場合、又は、処理を終了させる指示が主表示端末１から入力された場合には（Ｓ１３２：ＹＥＳ），処理は副表示端末処理（図５参照）へ戻る。終了指示が入力されていない場合には（Ｓ１３２：ＮＯ）、主表示端末１から操作ボタン情報を受信したか否かが判断される（Ｓ１３３）。操作ボタン情報を受信していない場合には（Ｓ１３３：ＮＯ）、Ｓ１３２の判断へ戻る。
【００６１】
操作ボタン情報を受信した場合には（Ｓ１３３：ＹＥＳ）、受信した操作ボタン情報に応じて画像を切り替えた場合のページ数、すなわち、主表示端末１の表示部１５に表示されている画像のページ数が、ＲＡＭ２２に記憶される（Ｓ１３４）。例えば、ページが１ページ進められたことを示す操作ボタン情報を主表示端末１から受信した場合には、副表示端末２でも、ページを１ページ進めた状態のページ数が記憶される。次いで、受信した操作ボタン情報に応じて表示させる画像に、ユーザが各種設定を行う際に表示される設定画像が含まれているか否かが判断される（Ｓ１３５）。設定画像が含まれていれば（Ｓ１３５：ＹＥＳ）、そのままＳ１３７の処理へ移行する。設定画像が含まれていなければ（Ｓ１３５：ＮＯ）、表示部２５の画像が、操作ボタン情報に応じて１ページ切り替えられる（Ｓ１３６）。すなわち、表示部２５の画像が、Ｓ１３４でＲＡＭ２２に記憶されたページの画像に切り替えられる。
【００６２】
次いで、受信した操作ボタン情報が連続操作リストに追加される（Ｓ１３７）。この処理は、主表示端末１の表示部１５に表示される画像と、副表示端末２の表示部２５に最終的に表示される画像とを一致させるために、設定画像が含まれているか否かに関わらず行われる。そして、操作ボタン情報を前回受信してからの経過時間を判断する処理が行われる。タイマ２７によって計測されている現在時刻が、経過時間の判断基準となる時間ｔ１として取得される（Ｓ１３８）。現在時刻が、経過時間の判断時の時刻ｔ２として取得される（Ｓ１３９）。ｔ１からｔ２への経過時間、すなわち、ｔ１及びｔ２の時間差が第一所定時間以上であるか否かが判断される（Ｓ１４０）。時間差が第一所定時間以上でなければ（Ｓ１４０：ＮＯ）、操作ボタン情報を受信したか否かが判断される（Ｓ１４２）。操作ボタン情報を受信していなければ（Ｓ１４２：ＮＯ）、再び現在時刻がｔ２として取得されて（Ｓ１３９）、経過時間の判断が行われる。
【００６３】
時間差が第一所定時間以上となる前に（Ｓ１４０：ＮＯ）、操作ボタン情報を受信した場合には（Ｓ１４２：ＹＥＳ）、受信した操作ボタン情報が連続切り替え情報の一部であると判断される。そして、操作中画像３１を表示部２５に表示させる処理が行われる（Ｓ１４３）。これにより、図９に示すように、表示部２５の略中心に「操作中」のメッセージである操作中画像３１が表示される。副表示端末２のユーザは、主表示端末１で主画像が連続して切り替えられていることを、操作中画像３１によって容易に認識することができる。尚、操作中画像３１は表示部２５の一部に表示されるのみであるため、副表示端末２は操作中画像３１を低消費電力で素早く表示できる。次いで、連続操作中フラグが「ＯＮ」とされて（Ｓ１４４）、Ｓ１３７の処理へ戻り、連続操作リストへ操作ボタン情報を追加する処理、及び経過時間を判断する処理が再び行われる。尚、連続操作中フラグは、主表示端末１の操作ボタンが連続して切り替えられているか否かを示すフラグである。
【００６４】
ｔ１及びｔ２の時間差が第一所定時間以上となった場合には（Ｓ１４０：ＹＥＳ）、主表示端末１の操作ボタンが連続して切り替えられているか否かが判断される（Ｓ１４１）。連続操作中フラグが「ＯＦＦ」となっており、連続操作中でないと判断された場合には（Ｓ１４１：ＮＯ）、そのままＳ１３１の処理へ戻る。
【００６５】
連続操作中フラグが「ＯＮ」となっており、連続操作中であると判断された場合には（Ｓ１４１：ＹＥＳ）、連続操作中フラグが「ＯＦＦ」とされて（Ｓ１４５）、操作中画像３１が消去される（Ｓ１４６）。そして、連続切り替え情報に従って主表示端末１と同様に画像を切り替えた場合に、最終的に表示部２５に表示される画像のページが、ＲＡＭ２２に記憶されている連続操作リスト（図８参照）から割り出される（Ｓ１４７）。割り出された切り替え後のページ数、すなわち、主表示端末１の表示部１５に最終的に表示される画像のページ数が、ＲＡＭ２２に記憶される（Ｓ１４８）。
【００６６】
割り出された画像に設定画像が含まれているか否かが判断される（Ｓ１４９）。設定画像が含まれていれば（Ｓ１４９：ＹＥＳ）、そのままＳ１３１の処理へ戻る。設定画像が含まれていなければ（Ｓ１４９：ＮＯ）、表示部２５に表示されている画像が、ＲＡＭ２２に記憶されている切り替え後のページの画像に切り替えられて（Ｓ１５０）、Ｓ１３１の処理へ戻る。
【００６７】
以上説明したように、連続操作判断処理では、主表示端末１から受信した切り替え情報が、主画像を連続して複数回切り替える連続切り替え情報であるか否かが判断される。連続切り替え情報であると判断されると、表示部２５に表示すべき特定の画像が連続切り替え情報から割り出される。この特定の画像とは、一連の連続切り替え情報に従って副表示端末２が主表示端末１と同様に画像を切り替えた場合に、最終的に表示部２５に表示される画像である。そして、副表示端末２は、割り出した特定の画像のみを表示部２５に表示させることができる。従って、主表示端末１が主画像を連続して切り替えた場合、副表示端末２は、途中の不要な画像の切り替えを行うことなく、特定の画像のみを表示部２５に表示させることができる。よって、不要な画像の切り替えに起因する無駄な電力消費を削減することができる。
【００６８】
また、副表示端末２は電気泳動表示装置であり、表示部２５に表示させた画像を他の表示装置よりも省電力で維持できる。一方で、画像の切り替えには、他の表示装置よりも長い時間を要する。従って、副表示端末２が連続して複数回の画像の切り替えを行うと、ユーザが表示させたい画像が最終的に表示されるまでに長い時間を要することとなる。しかし、連続操作判断処理によると、副表示端末２は、途中の不要な画像の切り替えを実行することなく、必要な画像のみを素早く表示部２５に表示させることができる。よって、副表示端末２は、表示部２５に表示させている画像を省電力で維持し、且つ、ユーザが所望する画像に素早く切り替えることもできる。さらに、副表示端末２の表示切り替えの速度が主表示端末１より遅い場合でも、目的の画像が表示されるまでに要する時間の主表示端末１との間の時間差を短縮することができる。
【００６９】
また、副表示端末２は、連続操作判断処理において、切り替え情報が受信されてから次に受信されるまでの経過時間が第一所定時間未満である場合に、一連の切り替え情報を連続切り替え情報であると判断することができる。この場合、副表示端末２は、複数の切り替え情報を連続操作リスト（図８参照）に記憶し、表示部２５に表示させるべき特定の画像を割り出すことができる。従って、主表示端末１の操作ボタンが操作される毎に切り替え情報が送信される設定である場合、副表示端末２は、連続操作判断処理を実行することで、表示させるべき特定の画像を容易且つ適切に割り出すことができる。これにより、主表示端末１のユーザは、操作部１４の操作ボタンを連続して操作することで、主表示端末１の画像を連続して切り替えつつ、所望する画像のみを副表示端末２に表示させることができる。
【００７０】
また、連続操作判断処理では、連続切り替え情報のうちの最初の切り替え情報に基づいて、第一所定時間の経過を待つことなく、表示部２５に表示されている画像を素早く切り替えることができる。従って、副表示端末２は、主表示端末１との間で、最初の画像の切り替えに時間差（第二所定時間）が生じることを防止することができる。
【００７１】
また、副表示端末２は、主表示端末１で主画像が連続して切り替えられていることを、操作中画像３１によってユーザに報知することができる。よって、副表示端末２のユーザは、状況を適切に把握することができる。また、副表示端末２は、表示部２５に表示させる特定の画像として、主表示端末１の各種設定を行うための設定画像を含む画像等、表示部２５に表示させない非表示画像を割り出した場合には、画像の切り替えを行わないように制御することができる。よって、必要な画像のみを表示部２５に表示させることができる。また、副表示端末２は、主表示端末１が行う処理の情報を取得する。取得した処理情報が、操作部１４の操作ボタンが操作される毎に切り替え情報が送信されることを示す処理情報である場合に、連続操作判断処理を実行することができる。これにより、副表示端末２は、主表示端末１の処理に応じて適切に処理を行うことができる。
【００７２】
次に、図１０及び図１１を参照して、主表示端末１で行われる操作タイミング通知処理、及びこれに対応して副表示端末２で行われる操作タイミング判断処理について説明する。図１０は、主表示端末処理中に実行される操作タイミング通知処理のフローチャートである。図１１は、副表示端末処理中に実行される操作タイミング判断処理のフローチャートである。
【００７３】
まず、主表示端末１で行われる操作タイミング通知処理について説明する。先述したように、操作タイミング通知処理を実行することがユーザによって設定されている場合、主表示端末１のＣＰＵ１０は、副表示端末２との同期開始後に操作タイミング通知処理（Ｓ１９、図４参照）を実行する。図１０に示すように、操作タイミング通知処理が開始されると、処理を終了させる指示がユーザから入力されたか否かが判断される（Ｓ５１）。ユーザが操作部１４（図２参照）を操作して、処理を終了させる指示を入力した場合には（Ｓ５１：ＹＥＳ）、処理は主表示端末処理（図４参照）へ戻る。終了指示が入力されていなければ（Ｓ５１：ＮＯ）、操作部１４に設けられたボタンのうち、ユーザが画像の切り替えを指示するための操作ボタンが操作（押下）されたか否かが判断される（Ｓ５２）。操作ボタンが操作されていなければ（Ｓ５２：ＮＯ）、処理はＳ５１の判断へ戻る。
【００７４】
操作ボタンが操作された場合には（Ｓ５２：ＹＥＳ）、操作された操作ボタンの種類、及び操作ボタンの操作が開始されたことを示す切り替え情報である操作開始情報が、副表示端末２へ送信される（Ｓ５３）。次いで、操作ボタンの操作時間、すなわち押下時間の計測が開始され（Ｓ５４）、計測された操作時間に応じて、切り替えページ数テーブル（図３参照）が参照されることで、主画像を切り替える処理が行われる（Ｓ５５）。そして、操作ボタンの操作が終了したか否かが判断され（Ｓ５６）、終了していなければ（Ｓ５６：ＮＯ）、Ｓ５５の処理が繰り返し行われる。例えば、図３に示す切り替えページ数テーブルがＥＥＰＲＯＭ１３に記憶されている場合、操作された操作ボタンがページを進める操作ボタンであれば、操作ボタンの操作開始時にページが１ページ進められる。そして、２秒経過時にさらにページが５ページ進められ、３秒経過時にさらに５ページ進められる。操作ボタンの操作が終了した場合には（Ｓ５６：ＹＥＳ）、操作ボタンの操作が終了したことを示す切り替え情報である操作終了情報が副表示端末２へ送信されて（Ｓ５７）、処理はＳ５１の判断へ戻る。
【００７５】
次に、副表示端末２で行われる操作タイミング判断処理について説明する。先述したように、副表示端末２のＣＰＵ２０は、操作タイミング通知処理が実行されることを示す処理情報を主表示端末１から受信すると、操作タイミング判断処理（Ｓ１０７、図５参照）を実行する。図１１に示すように、操作タイミング判断処理が開始されると、処理を終了させる指示が入力されたか否かが判断される（Ｓ１５１）。終了指示が入力された場合には（Ｓ１５１：ＹＥＳ）、処理は副表示端末処理（図５参照）へ戻る。終了指示が入力されていない場合には（Ｓ１５１：ＮＯ）、主表示端末１から操作開始情報を受信したか否かが判断される（Ｓ１５２）。操作開始情報を受信していない場合には（Ｓ１５２：ＮＯ）、処理はＳ１５１の判断へ戻る。
【００７６】
操作開始情報を受信した場合には（Ｓ１５２：ＹＥＳ）、主表示端末１の操作ボタンの操作時間の計測が開始され（Ｓ１５３）、第二所定時間が経過したか否かが判断される（Ｓ１５４）。第二所定時間は、主表示端末１の操作ボタンが操作されてから、主画像の連続切り替えが開始されるまでの時間に一致する。例えば、図３に示す切り替えページ数テーブルがＥＥＰＲＯＭ２３に記憶されている場合、第二所定時間は、連続切り替えが開始される時間である「２秒」となる。第二所定時間が経過していなければ（Ｓ１５４：ＮＯ）、主表示端末１から操作終了情報を受信したか否かが判断され（Ｓ１５５）、受信していなければ（Ｓ１５５：ＮＯ）、処理はＳ１５４の判断へ戻る。
【００７７】
第二所定時間が経過する前に（Ｓ１５４：ＮＯ）、操作終了情報を受信した場合には（Ｓ１５５：ＹＥＳ）、受信した切り替え情報（操作開始情報及び操作終了情報）は連続切り替え情報でないと判断される。そして、主表示端末１で切り替えられた画像のページ数が「１」とされ（Ｓ１５６）、主表示端末１の表示部１５に表示される切り替え後の画像のページ数が、ＲＡＭ２２に記憶される（Ｓ１５７）。切り替え後の画像に設定画像が含まれるか否かが判断され（Ｓ１５８）、設定画像が含まれる場合には（Ｓ１５８：ＹＥＳ）、処理はそのままＳ１５１の判断へ戻る。設定画像が含まれない場合には（Ｓ１５８：ＮＯ）、表示部２５に表示されている画像が、ＲＡＭ２２に記憶されている切り替え後のページの画像に切り替えられて（Ｓ１５９）、処理はＳ１５１の処理へ戻る。
【００７８】
一方で、操作終了情報を受信する前に（Ｓ１５５：ＮＯ）、第二所定時間が経過した場合には（Ｓ１５４：ＹＥＳ）、表示部２５に操作中画像３１（図９参照）が表示される（Ｓ１６１）。操作終了情報を受信したか否かが判断され（Ｓ１６２）、受信していなければ（Ｓ１６２：ＮＯ）、この判断が繰り返し行われる。
【００７９】
操作終了情報を受信した場合には（Ｓ１６２：ＹＥＳ）、受信した切り替え情報が連続切り替え情報であると判断される。操作中画像３１が消去され（Ｓ１６３）、計測されている操作時間が取得される（Ｓ１６４）。取得された操作時間と切り替えページ数テーブルとによって、主表示端末１で切り替えられた画像のページ数が割り出される（Ｓ１６５）。割り出されたページ数だけ切り替えた後の画像のページ数が、ＲＡＭ２２に記憶される（Ｓ１５７）。切り替え後の画像に設定画像が含まれるか否かが判断され（Ｓ１５８）、含まれる場合には（Ｓ１５８：ＹＥＳ）、処理はそのままＳ１５１の判断へ戻る。設定画像が含まれない場合には（Ｓ１５８：ＮＯ）、表示部２５に表示されている画像が、ＲＡＭ２２に記憶されている切り替え後のページの画像に切り替えられて（Ｓ１５９）、処理はＳ１５１の判断へ戻る。
【００８０】
以上説明したように、操作タイミング判断処理では、主表示端末１の操作ボタンの操作時間が、切り替え情報である操作開始情報及び操作終了情報から取得される。詳細には、操作開始情報を受信してから操作終了情報を受信するまでの時間を計測することで、操作時間が取得される。取得された操作時間が第二所定時間以上である場合に、切り替え情報が連続切り替え情報であると判断される。表示部２５に表示すべき特定の画像が操作時間に応じて割り出されて、表示部２５に表示される。これにより、主表示端末１のユーザは、主表示端末１で連続して主画像を切り替えた結果、最終的に表示させた主画像と同じ画像のみを、途中の不要な画像の切り替えを行うことなく副表示端末２にも表示させることができる。よって、無駄な電力消費を削減することができる。
【００８１】
また、電気泳動表示装置である副表示端末２は、操作タイミング判断処理を行うことで、表示部２５に表示させている画像を省電力で維持しつつ、ユーザが所望する画像に素早く切り替えることもできる。また、副表示端末２は、画像の表示切り替えの速度が主表示端末１より遅い場合でも、目的の画像が表示されるまでに要する時間の主表示端末１との間の時間差を短縮することができる。
【００８２】
また、主表示端末１のユーザが主画像の切り替えを１回のみ行う場合には、操作部１４の操作ボタンの操作時間は連続切り替えの場合よりも短いため、主画像が１回切り替えられるとすぐに操作終了情報が受信される。よって、副表示端末２は、切り替え情報が連続切り替え情報でないことをすぐに判断でき、主表示端末１との間で画像の切り替えに時間差を生じさせることなく、切り替えを同期させることができる。
【００８３】
また、副表示端末２は、操作開始情報を受信してから第二所定時間が経過した場合に、主画像が切り替えられていることを示す操作中画像３１を表示部２５に表示させることができる。これにより、副表示端末２のユーザは、状況を適切に把握させることができる。また、副表示端末２は、表示部２５に表示させる特定の画像として、主表示端末１の各種設定を行うための設定画像を含む画像等、表示部２５に表示させない非表示画像を割り出した場合には、画像の切り替えを行わないように制御することができる。よって、必要な画像のみを表示部２５に表示させることができる。
【００８４】
また、主表示端末１で操作タイミング通知処理が行われることを示す処理情報が副表示端末２に送信された場合に、副表示端末２は、操作タイミング通知処理に応じた適切な処理である操作タイミング判断処理を実行することができる。さらに、副表示端末２は、操作ボタンの操作時間に応じた主表示端末１での主画像の切り替え回数についての情報、すなわち、切り替えページ数テーブルの情報を取得する。そして、副表示端末２は、主表示端末と同じ切り替えページ数テーブルを参照して、表示部２５の表示を制御することができる。よって、副表示端末２は、主表示端末１との間で確実に画像の表示を同期させることができる。
【００８５】
次に、図１２及び図１３を参照して、主表示端末１で行われる操作時間通知処理、及びこれに対応して副表示端末２で行われる操作時間判断処理について説明する。図１２は、主表示端末処理中に実行される操作時間通知処理のフローチャートである。図１３は、副表示端末処理中に実行される操作時間判断処理のフローチャートである。
【００８６】
まず、主表示端末１で行われる操作時間通知処理について説明する。先述したように、操作時間通知処理を実行することがユーザによって設定されている場合、主表示端末１のＣＰＵ１０は、副表示端末２との同期開始後に操作時間通知処理（Ｓ２３、図４参照）を実行する。図１２に示すように、操作時間通知処理が開始されると、処理を終了させる指示がユーザから入力されたか否かが判断される（Ｓ７１）。終了指示が入力された場合には（Ｓ７１：ＹＥＳ）、処理は主表示端末処理（図４参照）へ戻る。終了指示が入力されていなければ（Ｓ７１：ＮＯ）、操作部１４に設けられたボタンのうち、ユーザが画像の切り替えを指示するための操作ボタンが操作（押下）されたか否かが判断される（Ｓ７２）。操作ボタンが操作されていなければ（Ｓ７２：ＮＯ）、処理はＳ７１の判断へ戻る。
【００８７】
操作ボタンが操作された場合には（Ｓ７２：ＹＥＳ）、操作ボタンの操作時間、すなわち押下時間の計測が開始され（Ｓ７３）、計測された操作時間に応じて、切り替えページ数テーブル（図３参照）が参照されることで、主画像を切り替える処理が行われる（Ｓ７４）。そして、操作ボタンの操作が終了したか否かが判断され（Ｓ７５）、終了していなければ（Ｓ７５：ＮＯ）、Ｓ７４の処理が繰り返し行われる。操作ボタンの操作が終了した場合には（Ｓ７５：ＹＥＳ）、操作された操作ボタンの種類、及び操作ボタンの操作時間を示す切り替え情報である操作時間情報が副表示端末２へ送信されて（Ｓ７６）、処理はＳ７１の判断へ戻る。
【００８８】
次に、副表示端末２で行われる操作時間判断処理について説明する。先述したように、副表示端末２のＣＰＵ２０は、操作時間通知処理が実行されることを示す処理情報を主表示端末１から受信すると、操作時間判断処理（Ｓ１０９、図５参照）を実行する。図１３に示すように、操作時間判断処理が開始されると、処理を終了させる指示が入力されたか否かが判断される（Ｓ１７１）。終了指示が入力された場合には（Ｓ１７１：ＹＥＳ）、処理は副表示端末処理（図５参照）へ戻る。終了指示が入力されていない場合には（Ｓ１７１：ＮＯ）、主表示端末１から操作時間情報を受信したか否かが判断される（Ｓ１７２）。操作時間情報を受信していない場合には（Ｓ１７２：ＮＯ）、処理はＳ１７１の判断へ戻る。
【００８９】
操作時間情報を受信した場合には（Ｓ１７２：ＹＥＳ）、操作時間情報から、操作ボタンの操作時間が取得される（Ｓ１７３）。取得された操作時間が第二所定時間以上であるか否かが判断される（Ｓ１７４）。この第二所定時間は、主表示端末１の操作ボタンが操作されてから、主画像の連続切り替えが開始されるまでの時間に一致する。操作時間が第二所定時間未満であれば（Ｓ１７４：ＮＯ）、受信した切り替え情報（操作時間情報）は連続切り替え情報でないと判断される。そして、主表示端末１で切り替えられた画像のページ数が「１」とされ（Ｓ１７５）、主表示端末１の表示部１５に表示される切り替え後の画像のページ数が、ＲＡＭ２２に記憶される（Ｓ１７７）。一方で、操作ボタンの操作時間が第二所定時間以上であれば（Ｓ１７４：ＹＥＳ）、操作時間と切り替えページ数テーブル（図３参照）とによって、主表示端末１で切り替えられた画像のページ数が割り出される（Ｓ１７６）。割り出されたページ数だけ切り替えられた後の画像のページ数が、ＲＡＭ２２に記憶される（Ｓ１７７）。
【００９０】
切り替え後の画像に設定画像が含まれるか否かが判断され（Ｓ１７８）、含まれる場合には（Ｓ１７８：ＹＥＳ）、処理はそのままＳ１７１の判断へ戻る。設定画像が含まれない場合には（Ｓ１７８：ＮＯ）、表示部２５に表示されている画像が、ＲＡＭ２２に記憶されている切り替え後のページの画像に切り替えられて（Ｓ１７９）、処理はＳ１７１の判断へ戻る。
【００９１】
以上説明したように、操作時間判断処理では、主表示端末１の操作ボタンの操作時間が、切り替え情報である操作時間情報から取得される。取得された操作時間が第二所定時間以上である場合に、切り替え情報が連続切り替え情報であると判断される。表示部２５に表示すべき特定の画像が操作時間に応じて割り出されて、表示部２５に表示される。これにより、主表示端末１のユーザは、主表示端末１で連続して主画像を切り替えた結果、最終的に表示させた主画像と同じ画像のみを、途中の不要な画像の切り替えを行うことなく副表示端末２にも表示させることができる。よって、無駄な電力消費を削減することができる。
【００９２】
また、電気泳動表示装置である副表示端末２は、操作時間判断処理を行うことで、表示部２５に表示させている画像を省電力で維持しつつ、ユーザが所望する画像に素早く切り替えることもできる。また、副表示端末２は、画像の表示切り替えの速度が主表示端末１より遅い場合でも、目的の画像が表示されるまでに要する時間の主表示端末１との間の時間差を短縮することができる。
【００９３】
また、主表示端末１のユーザが主画像の切り替えを１回のみ行う場合には、操作ボタンの操作時間は連続切り替えの場合よりも短い。よって、主画像が１回切り替えられると、すぐに操作時間情報が副表示端末２へ送信される。よって、副表示端末２は、切り替え情報が連続切り替え情報でないことを的確且つ迅速に判断でき、主表示端末１との間で画像の切り替えに時間差を生じさせることなく、切り替えを同期させることができる。
【００９４】
また、副表示端末２は、表示部２５に表示させる特定の画像として、主表示端末１の各種設定を行うための設定画像を含む画像等、表示部２５に表示させない非表示画像を割り出した場合には、画像の切り替えを行わないように制御することができる。よって、必要な画像のみを表示部２５に表示させることができる。
【００９５】
また、主表示端末１で操作時間通知処理が行われることを示す処理情報が副表示端末２に送信された場合に、副表示端末２は、操作時間通知処理に応じた適切な処理である操作時間判断処理を実行することができる。さらに、副表示端末２は、操作ボタンの操作時間に応じた主表示端末１での主画像の切り替え回数についての情報、すなわち、切り替えページ数テーブルの情報を取得する。そして、副表示端末２は、主表示端末と同じ切り替えページ数テーブルを参照して、表示部２５の表示を制御することができる。よって、副表示端末２は、主表示端末１との間で確実に画像の表示を同期させることができる。
【００９６】
尚、上記実施の形態において、副表示端末２が本発明の「表示制御装置」に相当し、主表示端末１が本発明の「端末」に相当する。主表示端末１の表示部１５が「主表示手段」に相当し、主表示端末１の操作部１４が「操作部」に相当する。図６のＳ３３、図１０のＳ５５、及び図１２のＳ７４で主画像の表示を切り替える主表示端末１のＣＰＵ１０が「表示制御手段」として機能する。図６のＳ３４、図１０のＳ５３，Ｓ５７、及び図１２のＳＳ７６で切り替え情報を送信する主表示端末１のＣＰＵ１０が「送信手段」として機能する。
【００９７】
外部通信Ｉ／Ｆ２８が「通信手段」に相当し、副表示端末２の表示部２５が「副表示手段」に相当する。図７のＳ１４０，Ｓ１４２、図１１のＳ１５４、及び図１３のＳ１７４で、受信した切り替え情報が連続切り替え情報であるか否かを判断する副表示端末２のＣＰＵ２０が「情報判断手段」として機能する。図７のＳ１４７、図１１のＳ１６５、及び図１３のＳ１７６で、表示部２５に表示すべき特定の画像を割り出すＣＰＵ２０が「割り出し手段」として機能する。図７のＳ１５０、図１１のＳ１５９、及び図１３のＳ１７９で画像を表示部２５に表示させるＣＰＵ２０が「副表示制御手段」として機能する。
【００９８】
図７のＳ１４０で、切り替え情報が受信されてからの経過時間が第一所定時間未満であるか否かを判断するＣＰＵ２０が「経過判断手段」として機能する。図７のＳ１３６で、連続切り替え情報のうち最初に受信された切り替え情報に従って画像を切り替えるＣＰＵ２０が「切り替え手段」として機能する。操作中画像３１を表示する表示部２５、及び図７のＳ１４３で表示部２５に操作中画像３１を表示させるＣＰＵ２０が「報知手段」として機能する。
【００９９】
図１１のＳ１５２〜Ｓ１５５，Ｓ１６２，Ｓ１６４で、操作開始情報が受信されてから操作終了情報が受信されるまでの時間を計測することで操作時間を取得するＣＰＵ２０が「第一取得手段」及び「第二取得手段」として機能する。操作中画像３１を表示する表示部２５、及び図１１のＳ１６１で表示部２５に操作中画像３１を表示させるＣＰＵ２０が「報知手段」として機能する。図１３のＳ１７３で操作時間情報から操作時間を取得するＣＰＵ２０が「第一取得手段」及び「第三取得手段」として機能する。
【０１００】
図５のＳ１０６，Ｓ１０８で切り替えページ数情報を主表示端末１から取得するＣＰＵ２０が「第四取得手段」として機能する。図７のＳ１３５，Ｓ１４９、図１１のＳ１５８，及び図１３のＳ１７８で、切り替え情報に応じて割り出された画像が表示部２５に表示させない画像であるか否かを判断し、表示させない画像であると判断した場合に表示部２５の画像の切り替えを行わないように制御するＣＰＵ２０が「画像判断手段」及び「切り替え制御手段」として機能する。図５のＳ１０２，Ｓ１０３，Ｓ１０５で、主表示端末１から受信した処理情報を受信して処理方法を設定するＣＰＵ２０が「設定手段」として機能する。
【０１０１】
また、外部通信Ｉ／Ｆ２８を介して主表示端末１と通信を行う処理が「通信ステップ」に相当する。図７のＳ１４０，Ｓ１４２、図１１のＳ１５４、及び図１３のＳ１７４で、受信した切り替え情報が連続切り替え情報であるか否かを判断する処理が「情報判断ステップ」に相当する。図７のＳ１４７、図１１のＳ１６５、及び図１３のＳ１７６で、表示部２５に表示すべき特定の画像を割り出す処理が「割り出しステップ」に相当する。図７のＳ１５０、図１１のＳ１５９、及び図１３のＳ１７９で画像を表示部２５に表示させる処理が「副表示制御ステップ」に相当する。
【０１０２】
尚、本発明は上記実施の形態に限定されることはなく、様々な変形が可能であることは言うまでもない。まず、上記実施の形態では、主表示端末１及び副表示端末２は共に表示部を備えた携帯端末である。しかし、主表示端末１及び副表示端末２の少なくとも一方を、周知のパーソナルコンピュータ等の他の機器に変更してもよい。携帯可能な端末である必要もない。表示部と、表示部の表示を制御する制御機器とが別に設けられていてもよい。また、主表示端末１と副表示端末２とを同期させる方法も、先述した方法に限定されない。すなわち、表示部の表示を制御し、且つ他の機器との同期通信が可能な機器であればよい。主表示端末１及び副表示端末２は電気泳動表示装置に限られない。操作部１４の操作ボタンも押下式のボタンに限られず、タッチパネル等の他の操作手段であってもよいことは言うまでもない。
【０１０３】
上記実施の形態では、主表示端末１から送信される処理情報に応じて、連続操作判断処理、操作タイミング判断処理、及び操作時間判断処理のいずれかの処理を実行する。しかし、３つの処理全てを実行できる必要はない。また、上記実施の形態では、主表示端末１から副表示端末２へ処理情報が送信され、副表示端末２が処理情報に応じて処理方法を設定することで、処理が同期している。しかし、副表示端末２が主表示端末１の処理方法を設定してもよい。この場合、図５に示す副表示端末処理を行うＣＰＵ２０は、例えばＳ１０２の処理を行わず、各種判断処理（Ｓ１０４，Ｓ１０７，Ｓ１０９）を実行する前に、主表示端末１へ処理情報及び切り替えページ数情報を送信すればよい。そして、図４に示す主表示端末処理を行うＣＰＵ１０は、Ｓ１２，Ｓ１４，Ｓ１７，Ｓ１８，Ｓ２１，Ｓ２２を行う代わりに、処理情報を副表示端末２に問い合わせて、受信した処理情報及び切り替えページ数情報に応じて各種通知処理を実行すればよい。
【０１０４】
また、上記実施の形態では、連続操作判断処理（図７参照）が実行されるのは、主表示端末１で連続操作通知処理（図６参照）が実行される場合である。そして、主表示端末１で行われる連続操作通知処理では、操作部１４の操作ボタンが操作される毎に操作ボタン情報が送信される。すなわち、上記実施の形態では、連続操作判断処理は、主表示端末１の操作ボタンが長押しされる場合でなく、連続して何度も操作される場合に対応している。しかし、主表示端末１の操作ボタンが長押しされる場合であっても、副表示端末２は連続操作判断処理を実行できる。例えば、図１０に示す操作タイミング判断処理を変更し、ＣＰＵ１０にＳ５３及びＳ５７の処理を実行させずに、代わりにＳ５５の処理を行う毎に操作ボタン情報を副表示端末２に送信させる。従って、連続操作判断処理のみを実行できるように副表示端末２を構成しても、主表示端末１の操作ボタンが長押しされる場合、及び連続して複数回操作される場合のいずれにも対応できる。
【０１０５】
図３に示す切り替えページ数テーブルは変更が可能である。例えば、操作部１４の操作ボタンの操作時間が長くなる程、ページの切り替えを行う間隔が短くなり、切り替え速度が上昇していくようにテーブルを構成してもよい。また、操作中画像３１（図９参照）も変更が可能である。例えば、操作中画像３１の代わりに、又は操作中画像３１と共に、ＬＥＤを発光させたり音声を出力したりしてもよい。また、操作中画像３１を表示させるタイミングも変更が可能である。例えば、図１１に示す操作タイミング判断処理では、切り替え情報が連続切り替え情報であるか否かを判断する基準となる第二所定時間を経過した場合に、操作中画像３１を表示させている。しかし、第二所定時間とは別に、操作中画像３１を表示させるタイミングを決定するための第三所定時間を設け、第三所定時間を経過した場合に操作中画像３１を表示させてもよい。また、主表示端末１でのみ表示させて副表示端末２で表示させない非表示画像は、設定画像に限られない。
【図面の簡単な説明】
【０１０６】
【図１】画像表示システム５の概略構成を示すシステム構成図である。
【図２】主表示端末１及び副表示端末２の電気的構成を示すブロック図である。
【図３】切り替えページ数テーブルの構成を示す模式図である。
【図４】主表示端末１が行う主表示端末処理のフローチャートである。
【図５】副表示端末２が行う副表示端末処理のフローチャートである。
【図６】主表示端末処理中に実行される連続操作通知処理のフローチャートである。
【図７】副表示端末処理中に実行される連続操作判断処理のフローチャートである。
【図８】ＲＡＭ２２に記憶される連続操作リストの一例を示す概念図である。
【図９】操作中画像３１を表示している副表示端末２を示す図である。
【図１０】主表示端末処理中に実行される操作タイミング通知処理のフローチャートである。
【図１１】副表示端末処理中に実行される操作タイミング判断処理のフローチャートである。
【図１２】主表示端末処理中に実行される操作時間通知処理のフローチャートである。
【図１３】副表示端末処理中に実行される操作時間判断処理のフローチャートである。
【符号の説明】
【０１０７】
１    主表示端末
２    副表示端末
１０    ＣＰＵ
１４    操作部
１５    表示部
１８    外部通信Ｉ／Ｆ
２０    ＣＰＵ
２１    ＲＯＭ
２２    ＲＡＭ
２３    ＥＥＰＲＯＭ
２５    表示部
２８    外部通信Ｉ／Ｆ
３１    操作中画像
【図１】
2010151869.tif 000003
【図２】
2010151869.tif 000004
【図３】
2010151869.tif 000005
【図４】
2010151869.tif 000006
【図５】
2010151869.tif 000007
【図６】
2010151869.tif 000008
【図７】
2010151869.tif 000009
【図８】
2010151869.tif 000010
【図９】
2010151869.tif 000011
【図１０】
2010151869.tif 000012
【図１１】
2010151869.tif 000013
【図１２】
2010151869.tif 000014
【図１３】
2010151869.tif 000015